(57)【要約】【課題】  ベストとしても、肩掛けとしても、さらに、腰巻きとしても使用できるようにした防寒用の多目的シートを提供せんとする。【解決手段】  上辺５１の襟ぐり部６の左右に、互いに係合する少なくとも一対の襟係止部１ａ、１ｂを備え、左辺５２及び右辺５３に袖係止部２ａ、２ｂ３ａ、３ｂを備える、各係止部を止めることによって、襟ぐり部６の下方のシート中央部７が後身頃となり胸部が開閉可能なベストを形成できる。襟係止部１ａ、１ｂを係止し、左右夫々の袖係止部２ａ、２ｂ３ａ、３ｂを非係止とすることによって、肩当てとなる。腰係止部４ａ、４ｂ、４ｃと衿係止部２ａ、３ａとを係止することによって、腰巻きとなる。【選択図】          図１
2006052478.tif 000002
【特許請求の範囲】
【請求項１】
上辺（５１）の中央に襟ぐり部を備えた防寒用シート（５）であって、
上辺（５１）の襟ぐり部（６）の左右に、互いに係合する少なくとも一対の襟係止部（１ａ、１ｂ）を備え、
上辺（５１）端から下方に伸びる左辺（５２）の上部と中央部とに、互いに係合する少なくとも一対の左袖係止部（２ａ、２ｂ）を備え、
上辺（５１）端から下方に伸びる右辺（５３）の上部と中央部とに、互いに係合する少なくとも一対の右袖係止部（３ａ、３ｂ）を備え、
襟係止部（１ａ、１ｂ）と、左右夫々の袖係止部（２ａ、２ｂ）（３ａ、３ｂ）を係止することによって、襟ぐり部（６）の下方のシート中央部（７）が後身頃となり胸部が開閉可能なベストを形成でき、
左右夫々の袖係止部（２ａ、２ｂ）（３ａ、３ｂ）を係止し、襟係止部（１ａ、１ｂ）を非係止とすることによって、襟ぐり部（６）の下方のシート中央部（７）が前身頃として着用可能な肩当てとなり、
襟係止部（１ａ、１ｂ）及び左右夫々の袖係止部（２ａ、２ｂ）（３ａ、３ｂ）を非係止とすることによって防寒用シートとなることを特徴とする防寒用の多目的シート。
【請求項２】
上辺（５１）の右端若しくは左端に腰係止部（４ａ、４ｂ、４ｃ）を設け、この腰係止部（４ａ、４ｂ、４ｃ）、左辺（５２）若しくは右辺（５３）の上部に設けられた左若しくは右の衿係止部（２ａ、３ａ）を係止することによって、使用者の腰に巻き付けて固定できることを特徴とする請求項１記載の防寒用の多目的シート。
【請求項３】
防寒用シート（５）が、カシミヤ製品からリサイクルして得られたカシミヤ糸と、トルマリン粉体含有の合成繊維糸とを含むものであることを特徴とする請求項１又は２記載の防寒用の多目的シート。
【発明の詳細な説明】
【技術分野】
【０００１】
本願発明は、防寒用の多目的シートに関するものである。
【背景技術】
【０００２】
従来より、ベストや肩掛けは、防寒用品として、広く使用されている。また、腰巻きは、長時間椅子等に座っているときに、足腰の防寒用として広く使用されている。
これらの種々の用途に使用することができるものとして、毛布等によるひざ掛け等が使用されているが、肩掛けとして使用するにしても、腰巻きとして用いても、すぐに、ずれ落ちて使用し難いものである。さらに、ベストとして使用する場合、腕が出し難いといった課題がある。
さらに、就寝時に使用する肩掛けとして、特許文献１や２などが提案されているが、これらはいずれも、肩掛けとして使用することができるに止まり、ベストとして使用できるものではない。
【０００３】
【特許文献１】実開昭５５−１３９１０７号公報
【特許文献２】実開昭６２−１２２８１６号公報
【発明の開示】
【発明が解決しようとする課題】
【０００４】
本願の第１の発明は、ベストとしても、肩掛けとしても使用できるようにした防寒用の多目的シートを提供せんとするものである。
本願の第２の発明は、これらの用途に加えて、腰巻きとしても使用できるようにした防寒用の多目的シートを提供せんとするものである。
本願の第３の発明は、防寒用シートの素材として、リサイクルによって資源の有効活用を可能とした防寒用の多目的シートを提供せんとするものである。
【課題を解決するための手段】
【０００５】
そこで本願の第１の発明は、上辺５１の中央に襟ぐり部を備えた防寒用シート５であって、上辺５１の襟ぐり部６の左右に、互いに係合する少なくとも一対の襟係止部１ａ、１ｂを備え、上辺５１端から下方に伸びる左辺５２の上部と中央部とに、互いに係合する少なくとも一対の左袖係止部２ａ、２ｂを備え、上辺５１端から下方に伸びる右辺５３の上部と中央部とに、互いに係合する少なくとも一対の右袖係止部３ａ、３ｂを備え、襟係止部１ａ、１ｂと、左右夫々の袖係止部２ａ、２ｂ３ａ、３ｂを係止することによって、襟ぐり部６の下方のシート中央部７が後身頃となり胸部が開閉可能なベストを形成でき、左右夫々の袖係止部２ａ、２ｂ、３ａ、３ｂを係止し、襟係止部１ａ、１ｂを非係止とすることによって、襟ぐり部６の下方のシート中央部７が前身頃として着用可能な肩当てとなり、襟係止部１ａ、１ｂ及び左右夫々の袖係止部２ａ、２ｂ３ａ、３ｂを非係止とすることによって防寒用シートとなることを特徴とする防寒用の多目的シートを提供することによって、上記の課題を解決する。
本願の第２の発明は、上記の発明に係る多目的シートにおいて、上辺５１の右端若しくは左端に腰係止部４ａ、４ｂ、４ｃを設け、この腰係止部４ａ、４ｂ、４ｃ、左辺５２若しくは右辺５３の上部に設けられた左若しくは右の衿係止部２ａ、３ａを係止することによって、使用者の腰に巻き付けて固定できることを特徴とするものを提供する。
本願の第３の発明は、上記の発明に係る多目的シートにおいて、防寒用シート５が、カシミヤ製品からリサイクルして得られたカシミヤ糸と、トルマリン粉体含有の合成繊維糸とを含むものであることを特徴とするものを提供する。
【発明の効果】
【０００６】
本願発明は、２種或いは３種の着用形態を採る事ができる防寒用の多目的シートを提供することができたものである。例えば、部屋でくつろいでいる時にはベストの状態とし、寝る時には肩掛けにできるものであり、連続して一つの多目的シートを使用できる。さらに、受験生やパソコン作業等の長時間椅子等に座って作業を行なう際の、足腰の冷え防止にも活用できるものであり、その利用範囲は極めて広いものである。また、防寒用シートが、カシミヤ製品からリサイクルして得られたカシミヤ糸と、トルマリン粉体含有の合成繊維糸とを含むものとすることによって、比較的低価格で保温性の高い防寒用の多目的シートを提供することができたものである。
【発明を実施するための最良の形態】
【０００７】
以下、図面に基づき本願発明の実施の形態を説明する。
図１は、本願発明の実施の形態に係る防寒用の多目的シートの展開図であり、図２はベストとして使用した状態の斜視図であり、図３は就寝用の肩掛けとして使用した状態の斜視図であり、図４は腰巻きとして使用した状態の斜視図である。
【０００８】
このシート５は、図１に示すように、全体が略長方形の防寒用シートであって、上辺５１の中央に襟ぐり部６を備える。襟ぐり部６は、人の首が入り易いように設けられたもので、上辺から下方に湾曲した凹部として実施されている。
この上辺の襟ぐり部６の左右には、互いに係合する少なくとも一対の襟係止部１ａ、１ｂが設けられている。
【０００９】
上辺５１の左端から下方に伸びる左辺５２の上部と中央部７とには、互いに係合する一対の左袖係止部２ａ、２ｂが設けられている。また、上辺５１の右端から下方に伸びる右辺５３の上部と中央部とに、互いに係合する一対の右袖係止部（３ａ、３ｂ）を備えている。
【００１０】
上記の各係止部は、凹凸嵌合のホックとして実施されているが、起毛面ファスナ等の他の係止手段を用いても良い。ただし、起毛面ファスナにあっては、シートを毛布等の毛製品で形成した場合、毛がファスナにくっつき易いため、凹凸嵌合のホックとして実施する方が有利である。
【００１１】
上辺５１の裏側には、左端から中央に向けて、所定領域に渡って複数箇所で係止可能な腰係止部４ａ、４ｂ、４ｃが設けられている。この例では、腰係止部として、３個の凹凸嵌合のホック４ａ、４ｂ、４ｃを用いているが、起毛面ファスナを所定長さに渡って配設したものでもよい。
【００１２】
シート５の大きさは、着用者の伸長に応じて変化させることができる。横長さは（左辺から右辺までの長さ）は、着用者の肩幅及び腰回り以上であることが好ましく、具体的には５０〜１１０cmが程度である。縦長さは（上辺から下辺までの長さ）は、着用者の上半身の長さに応じて設定でき、具体的には５０〜９０cmが程度である。襟ぐり部６から下方に伸びるシート中央部７は、ベストの後身頃或いは肩掛けの前身頃となる部分であり、縦長さより襟ぐり部６の縦長さを差し引いた長さで、４０〜８０cmが程度が好ましい。襟ぐり部６の全長（周縁の全長）は、着用者の首回りより大きくし、４５〜７０cmが適当である。
【００１３】
次にこの防寒用シートの使用方法について説明する。
（ベストとしての使用）
図２に示すように、左辺５２の上部と中央部との左袖係止部２ａ、２ｂ同士を係合させる。右辺５３の上部と中央部との右袖係止部３ａ、３ｂ同士を係合させる。これにより、各係止部間（係止部２ａ、２ｂの間及び係止部３ａ、３ｂの間）が、着用者の腕を通す部分となる。この状態で、襟ぐり部６下方のシート中央部７を後身頃として、腕を通すことによって、前がはだけた状態で着用できる。そして、襟ぐり部６の左右の襟係止部１ａ、１ｂ同士を係合させることにて、前を閉じた状態で着用できる。
【００１４】
（就寝時の肩掛けとしての使用）
図３に示すように、左辺５２の上部と中央部との左袖係止部２ａ、２ｂ同士を係合させる。右辺５３の上部と中央部との右袖係止部３ａ、３ｂ同士を係合させる。これにより、各係止部間（係止部２ａ、２ｂの間及び係止部３ａ、３ｂの間）が、着用者の腕を通す部分となる。ここで、上記のベストとしての使用とは逆に、襟ぐり部６下方のシート中央部７を前身頃として、腕を通す。これによって、襟ぐり部６下方のシート中央部７が着用者の胸部に位置するようになり、あたかも人の前面に毛布を掛けたような状態となる。しかも、肩は、襟ぐり部６の左右のシート両横部８、８によって覆われる。これによって、就寝時における、肩の冷えを防止することができる。しかも、襟ぐり部６の左右の襟係止部１ａ、１ｂ同士を係合させないため、背中は開いた状態となり、不必要に人体を拘束せず、寝心地を害するおそれも少ない。
【００１５】
（腰巻きとしての使用）
図４に示すように、着用者の腰にシートの上辺５１を巻き付けて、上辺５１の裏側に左端から中央に向けて設けられている腰係止部４ａ、４ｂ、４ｃと、右辺５３の上部の右袖係止部３ａとを係合させる。これによって、人の腰にシートを固定できる。その際、人の大きさに合わせて、適宜の位置の腰係止部４ａ、４ｂ、４ｃを選択すればよい。尚、右端から中央に向けて腰係止部を設け、左辺５２の上部の左袖係止部２ａに係合させるようにしてもよい。
【００１６】
シートの材質は、カシミヤや羊毛や保温性の高い布素材等、防寒用のシートであればよいが、この例では、カシミヤ製品からリサイクルして得られたカシミヤ糸と、トルマリン粉体含有の合成繊維糸との混紡糸にて編成或いは織成されたものである。トルマリンは、血行を良くする働きがあるといわれるものであり、これによって、人体を内部血行から温めることができ、防寒用の素材として、極めて有用である。また、カシミヤ製品は羊毛等に比して保温性が高いものの、価格も高いとされているが、この例では、カシミヤセータ等のカシミヤ製品からの再生綿によって製造されたリサイクルのカシミヤ糸を用いることによって、安価で保温性の高いものとして実施しているものである。
【図面の簡単な説明】
【００１７】
【図１】本願発明の実施の形態に係る防寒用の多目的シートの展開図である。
【図２】ベストとして使用した状態の斜視図である。
【図３】就寝用の肩掛けとして使用した状態の斜視図である。
【図４】腰巻きとして使用した状態の斜視図である。
【符号の説明】
【００１８】
１ａ、１ｂ        襟係止部
２ａ、２ｂ        左袖係止部
３ａ、３ｂ        右袖係止部
４ａ、４ｂ、４ｃ  腰係止部
５                防寒用シート
５１              上辺
５２              左辺
５３              右辺
６                襟ぐり部
７                シート中央部
【図１】
2006052478.tif 000003
【図２】
2006052478.tif 000004
【図３】
2006052478.tif 000005
【図４】
2006052478.tif 000006